(57)【要約】【課題】原稿の仕上がり状態の確認のための画像形成を行う場合に、簡単な操作で、迅速で安価な原稿の仕上がり状態の確認が行える画像形成装置を提供することを目的とする。【解決手段】原稿情報に基づきカラー画像及び／又は白黒画像の画像形成を行う画像形成手段と、前記画像形成手段で形成された画像を確認するために１部数のみ確認画像を形成し出力する確認画像出力モードを選択可能な確認画像出力モード選択手段とを有する画像形成装置において、前記確認画像出力モード選択手段により前記確認画像出力モードが選択されたときは、前記確認用画像を形成するための出力画像色を選択できる出力画像色選択手段を備えたこと。【選択図】        図１
2004226697.tif 000002
【特許請求の範囲】
【請求項１】
原稿情報に基づきカラー画像及び／又は白黒画像の画像形成を行う画像形成手段と、前記画像形成手段で形成された画像を確認するために１部数のみ確認画像を形成し出力する確認画像出力モードを選択可能な確認画像出力モード選択手段とを有する画像形成装置において、前記確認画像出力モード選択手段により前記確認画像出力モードが選択されたときは、前記確認用画像を形成するための出力画像色を選択できる出力画像色選択手段を備えたことを特徴とする画像形成装置。
【請求項２】
前記出力画像色選択手段は、少なくとも白黒の出力画像色が選択できることを特徴とする請求項１に記載の画像形成装置。
【請求項３】
前記画像形成手段で形成される画像の出力画像色を予め設定できる出力画像色設定手段を備え、前記出力画像色設定手段により白黒の出力画像色が設定されているときは、前記確認画像出力モード選択手段により前記確認画像出力モードが選択されたときに、前記出力画像色選択手段による出力画像色の選択を無効に、または、前記出力画像色選択手段を作動不能にすることを特徴とする請求項１又は請求項２に記載の画像形成装置。
【発明の詳細な説明】
【０００１】
【発明の属する技術分野】
本発明は、原稿情報に基づきカラー画像及び／又は白黒画像の画像形成を行う複写機やプリンタ等の画像形成装置に関し、特に、画像形成装置で形成された画像等の仕上がり状態を確認するための確認出力を行う際に、確認出力時の画像の出力画像色を選択できるようにした画像形成装置に関する。
【０００２】
【従来の技術】
近年の電子化技術の進歩により、業務用の大型コンピュータやパーソナルコンピュータ等を使用して、文章のみでなく図や写真を取り込んでカラーや白黒の画像が混在した原稿を作成して印刷したり、インターネットからのカラーや白黒の画像が混在した各種情報を複写したりする機会が増加している。
【０００３】
そのため、最近の複写機やプリンタ等の画像形成装置では、文字、数字、記号及び画像や写真等の複数の画像情報からなるデジタル化された原稿情報を大型コンピュータやパーソナルコンピュータあるいはインターネット・サーバー等の外部情報機器から入力して、カラーの画像や白黒の画像を高速で複写したり、印刷して、印刷物として出力できるようになっている。
【０００４】
前述のように、文章のみでなく図や写真を取り込んでカラーや白黒の画像が混在した原稿を、例えば、コンピュータの表示手段の画面上で編集したり、合成したりして作成した場合には、表示手段の画面上で確認できる仕上がり状態と印刷物にしないと確認できないものがあり、特に、原稿にカラー画像等が含まれている場合は、表示手段の画面上の色と紙等の被記録部材に印刷した色とが異なり、印刷してみて初めて、使用した画像形成装置によるカラー画像の色等の仕上がり状態が確認できるということがある。
【０００５】
このため、原稿が完成して、いきなり複数部数の印刷を行ってしまうと、仕上がり状態が不満足で修正を必要とした場合には、多くの無駄な印刷物が残ることになり、印刷インクやトナー及び紙等の印刷機材や無駄な時間等を浪費することになる。
【０００６】
従って、このような原稿を複数の部数（以下、複数部数ともいう。）で印刷を行うときは、確認用の印刷を行って仕上がり状態を確認した上で複数部数の印刷を実行するようにする必要がある。
【０００７】
そこで、従来では、カラー画像と白黒画像とが混在する原稿を複数部数の印刷を行う際には、１部目の画像形成を試しとして先ず試し印刷を実行し、試し印刷による印刷物の画像を確認し満足な結果が得られた場合に、残り部数についての画像形成が使用者の指定に応じて実行できるようになっており、特に、カラーページの出力を優先させたり、カタログモードにおいてカタログページをカラーページ毎に形成させる技術（例えば、特許文献１参照。）が公開されている。
【０００８】
しかしながら、この技術は、カラー画像と白黒画像が混在した原稿の、特に、色に関する確認を重視しているため、カラー画像を優先して確認できるようにした試し印刷に関してのみ記載されているが、試し印刷が必要な場合は、カラー画像を印刷する場合に限るものではない。
【０００９】
特に、最近のデジタル複写機等の画像形成装置においては、カラー画像を高速に複写できるだけでなく、原稿に対する編集機能や後処理機能が拡張され、使用者にとって大変便利になっている。
【００１０】
例えば、編集機能としては、原稿のレイアウトを整えるために画像の位置等を所望の位置に移動させるシフト機能、原稿に予め設定した記号やマーク、印影等を所定の位置に追加するスタンプ機能、原稿の文書、図、写真等に対して、予め設定されたフォーマット等を重ね合わせることにより所定の形式の原稿等を作成するオーバーレイ機能等が備えられたものがあり、原稿作成を簡単で容易にしている。
【００１１】
また、後処理機能としては、例えば、画像形成装置で印刷された紙等の被記録部材を折り畳むフィニッシング処理、複数枚の被記録部材を綴じるステープル処理、被記録部材に孔を開けるパンチ処理等が備えられたものがあり、印刷物の配布又は整理や保管に便利になっている。
【００１２】
ところが、このように便利になった画像形成装置を使用する場合には、使用者は、画像形成装置で印刷された印刷物で原稿が正しく作成されたか否かを確認する際には、単に、原稿内容の文章等の確認だけでなく、前述のカラー画像の色や画像の位置、更に、これらの編集機能や後処理機能が正しく実行されたか否かを含めて、多くの項目の確認が必要になっている。
【００１３】
しかしながら、画像形成装置で印刷された印刷物を確認する場合、例えば、原稿の文章の確認や前述の編集機能や後処理機能等に関する確認を行う際には、カラー画像を含む原稿であってもカラーで印刷しなくても十分に確認できる項目がある。
【００１４】
つまり、色に関する確認を行わない場合にも、原稿がカラー画像を含む原稿だからといって、確認のためにカラーで印刷を行うことは、一般に、高価なＹ（イエロー）、Ｍ（マゼンタ）、Ｃ（シアン）、Ｋ（クロ）等のカラー・インクやカラー・トナー等の機材を消費させたり、仕上がり状態が不満足な無駄な印刷を行ったりすることになり、また、画像形成装置におけるカラーの画像形成工程は、カラー画像形成方式によっては複数の工程を経て出力に時間が掛かることがあるため、単に、印刷物の仕上がり状態の確認を行うためだけに、多くの無駄な費用や時間を浪費することになり不効率であるという問題があった。
【００１５】
【特許文献１】
特開２００１−１０３３１８号公報
【００１６】
【発明が解決しようとする課題】
本発明は、上記問題に鑑み、原稿の仕上がり状態の確認のための画像形成を行う場合に、簡単な操作で、迅速で安価な原稿の仕上がり状態の確認が行える画像形成装置を提供することを目的とする。
【００１７】
【課題を解決するための手段】
上記問題を解決するために、本発明においては、画像形成装置を使用して印刷（以下、出力またはコピーともいう。）する印刷物の仕上がり状態の確認のための画像を印刷（以下、確認印刷又は確認コピーともいう。）する場合には、使用者が確認する項目に応じて、出力する画像の出力画像色を選択できるようにした出力画像色選択手段を設けて、単に、印刷物の仕上がり状態の確認を行うためだけに、多くの無駄な費用や時間を浪費するという前述の問題を解消したものである。
【００１８】
すなわち、請求項１に記載の発明は、原稿情報に基づきカラー画像及び／又は白黒画像の画像形成を行う画像形成手段と、前記画像形成手段で形成された画像を確認するために１部数のみ確認画像を形成し出力する確認画像出力モードを選択可能な確認画像出力モード選択手段とを有する画像形成装置において、前記確認画像出力モード選択手段により前記確認画像出力モードが選択されたときは、前記確認用画像を形成するための出力画像色を選択できる出力画像色選択手段を備えたことを特徴とする。
【００１９】
これにより、画像形成装置で印刷物の画像の色を確認する場合、または、印刷物の画像の色に関係のない項目を確認する場合に、確認のために印刷する印刷物の出力画像色を選択できるので、多くの無駄な費用や時間を浪費することがなく、迅速で安価に、仕上がり状態が常に確認できる画像形成装置を提供できる。
【００２０】
請求項２に記載の発明は、請求項１に記載の発明において、前記出力画像色選択手段は、少なくとも白黒の出力画像色が選択できることを特徴とする。
【００２１】
これにより、印刷物の画像の色に関係しない画像形成装置の編集機能や後処理機能等に関する確認を行う際には、カラー画像が混在した原稿であっても白黒での印刷を行うことで、迅速で安価に、仕上がり状態が常に確認できる画像形成装置を提供できる。
【００２２】
請求項３に記載の発明は、請求項１又は請求項２に記載の発明において、前記画像形成手段で形成される画像の出力画像色を予め設定できる出力画像色設定手段を備え、前記出力画像色設定手段により白黒の出力画像色が設定されているときは、前記確認画像出力モード選択手段により前記確認画像出力モードが選択されたときに、前記出力画像色選択手段による出力画像色の選択を無効に、または、前記出力画像色選択手段を作動不能にすることを特徴とする。
【００２３】
これにより、元の原稿が白黒の画像で作成されているときは、出力画像色選択手段で出力画像色を選択する操作を行わせないようにして、誤ってカラー出力を選択するという誤操作を防止すると共に、余計な操作を行う煩わしさを解消できるので、迅速な仕上がり状態の確認ができる画像形成装置を提供できる。
【００２４】
【発明の実施の形態】
以下、本発明の実施の形態について図面を参照しながら説明するが、本発明は、これに限定されるものではない。
【００２５】
図１は本発明に係る画像形成装置としての複写機の外観図である。図２は本発明に係る操作表示手段の基本画面である。図３は本発明に係る操作キーボード図である。図４は本発明に係る設定確認画面の基本画面である。図５は設定確認画面の表示状態を示す表示形態図である。図６は操作表示手段のポップアップ画面表示である。図７は本発明に係る画像形成装置の作動を説明するフローチャートである。図８は本発明に係る設定確認画面で確認コピーの出力色を選択する場合の作動手順を示すフローチャートである。図９は本発明に係るポップアップ画面で確認コピーの出力色を選択する場合の作動手順を示すフローチャートである。
【００２６】
図１０は本発明に係る設定確認画面表示の手順を示すフローチャートである。図１１は本発明に係るポップアップ面表示の手順を示すフローチャートである。図１２は本発明に係る画像形成装置の回路構成を示すブロック図である。
【００２７】
なお、以下、特に断りのない限り、本発明の実施の形態においては、説明を簡単にするために、画像形成装置はカラー複写機として説明する。
【００２８】
図１により、本発明に係る画像形成装置としての複写機の構成に関して説明する。
【００２９】
１０は電子写真方式の複写機全体を示し、１は複写機本体、２は複写機の操作部、３は操作部２に設けられた操作表示手段、４は操作部２に設けられた操作キーボード手段、５は画像が形成された被記録部材が複写機本体１から搬送されて積載される排紙皿、６は紙やＯＨＰシート等の被記録部材を挿入するための手差し皿、７は複数種類及び／又は複数の被記録部材の収納部を備えた被記録部材収納部、８は自動原稿送り装置（以下、ＡＤＦともいう。）、９ａと９ｂは複写機１０を移動するためのローラである。
【００３０】
複写機１０の構成は一般によく知られているため、詳細な説明は省略するが、複写機本体１は、図示はしないが複写機本体１の上部に設けられた原稿読取部と、複写機本体１の内部に設けられた画像形成部及び給排紙搬送手段からなる各装置部と、原稿データを記憶する記憶手段や各装置部を駆動制御するＣＰＵを備えた制御回路、及び複写機本体１の上部に設けられ制御回路を介して複写機１０を制御するための各種モードやデータ等を入力したり選択できる操作部２等で構成されている。
【００３１】
原稿読取部にはプラテンガラス（図示せず）上に設置された原稿を読み取る読取手段とＡＤＦ８により自動的に搬送された原稿を読み取る読取手段が設けられ、読取手段は一般によく知られた光学装置とＣＣＤ（固体撮像素子）を備えた光電変換装置等により構成され、光電変換装置により原稿を原稿データに変換して読み取るようになっている。
【００３２】
画像形成部は、ドラムやベルト状の感光体を帯電し、読取手段または制御回路の記憶手段に記憶された原稿データに基づく信号により感光体に露光する露光手段、露光手段により形成された原稿の静電潜像をトナー等によりトナー像として顕像化する現像手段、給紙搬送手段により被記録部材収納部７から適切なタイミングで搬送されてきた被記録部材上に感光体からトナー像を転写し、転写された被記録部材を感光体から分離する転写分離手段、トナー像を被記録部材に溶融固着させる定着部、及び転写・分離工程が終了した感光体上の残留トナー等を清掃する清掃手段等から構成されており、画像形成がなされた被記録部材は排出皿５に搬送されるようになっている。
【００３３】
以上のような構成からなる本発明に係る電子写真方式の複写機の画像形成工程について簡単に説明する。なお、説明を簡単にするために感光体が感光体ドラムである場合について説明する。
【００３４】
図示はしないが、画像形成が開始されると感光体ドラムが回転し、回転する感光体ドラムに対して一様な帯電を行い、帯電された感光体ドラムに画像情報に基づく画像信号により露光がなされ感光体ドラム上に静電潜像が形成される。感光体ドラム上に形成された静電潜像をトナーを用いて現像しトナー像を形成する。トナー像が感光体ドラム上に形成されると、紙等の被記録部材が積載された被記録部材収納部７から適切なタイミングで感光体ドラムに被記録部材が搬送され、搬送された被記録部材に感光体ドラム上に形成されたトナー像が転写された後に、感光体ドラムから分離されて定着装置へ搬送される。定着装置に搬送された被記録部材は、定着装置の熱源であるヒータで加熱された定着ローラにより被記録部材上のトナーが溶融固着されて画像が形成され、機外に設けられた排紙皿５に排紙される。一方、被記録部材が分離された感光体ドラムはその後も回転を継続し、感光体ドラム上に残留したトナー等が清掃され、引き続いて画像形成を行わない場合は、回転を停止して、画像形成工程が終了する。
【００３５】
なお、カラーの画像を形成できるカラー複写機の場合は、画像形成部にＹ（イエロー）、Ｍ（マゼンタ）、Ｃ（シアン）、Ｋ（クロ）等の各色のトナーによる各現像手段を備えており、前述の感光体上に形成されたＹ、Ｍ、Ｃ、Ｋに対応する静電潜像をＹ、Ｍ、Ｃ、Ｋの各色のトナーを一つの感光体上に重ね合わせることでトナー像として顕像化した後に被記録部材上に転写・分離して画像形成を行う方式のものや、各色毎にトナー像を形成し被記録部材に転写・分離及び定着を繰り返して画像形成を行う方式のものがある。
【００３６】
このように、Ｙ、Ｍ、Ｃ、Ｋの各色のトナーを用いてカラーの画像を形成する場合は、いずれの方式においても、黒色のトナーのみによる白黒の画像形成に比べるとカラーの画像形成工程に要する時間は必然的に長くなっている。
【００３７】
また、画像形成装置が微細なインク滴を飛翔させて画像を形成するインクジェット方式のプリンタ（以下、インクジェットプリンタという。）においては、図示はしないが、一般に、被記録部材の搬送方向に対して垂直方向の主走査方向にインク滴を飛翔させるノズルを各色毎に複数個設けたヘッドを設け、被記録部材の搬送方向である副走査方向の被記録部材の搬送速度に応じてノズルから各色のインク滴を飛翔させカラーの画像を形成するようにしているが、インクジェットプリンタにおいても同様に、白黒の画像を形成する場合よりカラーの画像形成工程では時間を要している。
【００３８】
また、詳細な説明を省略するが、画像形成装置が昇華型のプリンタ等他の画像形成方式においても、同様に、白黒の画像を形成する場合よりカラーの画像形成工程では時間を要しているのが現状である。
【００３９】
図２により、本発明に係る画像形成装置における出力画像色選択手段としての操作表示手段に関して説明する。
【００４０】
１００は、例えば、液晶のタッチパネル方式で形成された操作表示手段の基本画面全体を示し、操作表示手段１００には、例えば、操作手順や複写枚数等を示す表示部１１０、出力（印刷）形態の初期設定を行う初期設定部１２０、出力する印刷物の色（出力画像色、以下、出力色ともいう。）を指定する出力色設定部１３０（本発明に係る出力画像色設定手段である。）、被記録部材の両面及び／又は片面に印刷するか否かを選択する印刷面選択部１４０、被記録部材の用紙サイズを選択する用紙サイズ選択部１５０、複写倍率を設定する倍率設定部１６０、その他の応用機能を設定する応用設定部１７０、どのような仕事（ＪＯＢ）が記憶されているかを表示するＪＯＢ表示部１８０等が設けられている。
【００４１】
操作表示手段１００に表示される上記各種条件の選択部及び設定部に指等で触れると、触れた箇所の条件の選択や設定ができるようになっており、触れた箇所の表示の色が変わり、選択したり設定した条件が視認できるようになっている。
【００４２】
また、選択部及び設定部等の表示には複数段階の階層構造になっているものもあり、階層構造になっている選択部及び設定部等に触れると、新たな選択項目や設定項目等が表示され、選択項目や設定項目等が表示されている選択部及び設定部等に触れると、また新たな選択項目や設定項目等が表示されるというように、次々に予め設定された複数段階の表示が行われて、より詳細な条件等の選択や設定ができるようになっている。
【００４３】
図３により、本発明に係る画像形成装置における操作キーボード手段に関して説明する。
【００４４】
２００は本発明に係る操作キーボード手段としての操作キーボード全体を示し、操作キーボード２００には、コピー（複写）を開始させるコピースタート釦２１０、コピー等の作動中に作動を停止させるためのストップ釦２１５、本発明に係る確認画像出力モードとしての確認コピーモードを開始させる確認コピー釦２２０、割り込みコピーを開始させる割込釦２２５、コピー枚数や条件設定のために数字入力が必要な場合に使用するテンキー２３０、テンキー２３０を操作して入力した数字を消去（クリア）するためのクリアキー２３１、複写機の管理のために、複写機を最初に使用し始めてから現在に至るまでの全コピー回数を前述の操作表示手段１００の表示部１１０に表示させるためのカウンター表示釦２３２、複写機の作動状態を示す作動状態表示２３５、前述の表示部１１０に表示された条件設定のための設定画面表示を切り換えるための設定画面切換釦２４０、確認コピーの条件を設定するための設定確認釦２５０、操作手順等の案内や説明を前述の表示部１１０に表示させるためのヘルプ釦２５５、前述の操作表示手段１００で設定した応用機能を記憶させるためのジョブメモリ釦２６０、設定した条件等を設定し直すためのリセット釦２７０、複写機のコピー作動等が予め設定された時間を超えても作動しない状態になった場合に、例えば、定着装置のヒータの電源を省電力のために低下するように制御させるパワーセーブ釦２８０及び予め設定された時間になると電源が投入され、及び／又は、予め設定された時間になると電源が遮断されるように設定されているか否かを表示するタイマー表示２９０等が設けられている。
【００４５】
図４により、本発明に係る画像形成装置の設定確認画面に関して説明する。
３００は設定確認画面の基本画面を示し、例えば、コピー部数、コピーモード、コピー濃度、倍率、ペーパーサイズ、紙種類、排紙トレイ、出力モード、原稿画質、特殊原稿、定形／不定形原稿、及び、確認コピーの出力色を選択するための出力色選択手段であるカラー／モノクロ（白黒）等の複数の選択又は設定条件等を表示した複数の設定部と設定部に対応する項目の表示が行われる設定情報表示部３１０と、設定情報表示部３１０に設けられた複数の選択又は設定条件等を選択又は設定した後に設定変更を行うための設定変更部３２０、選択又は設定された選択又は設定条件等を解除するための設定解除部３３０、選択又は設定を確定するための終了部３４０、及び、設定情報表示部３１０により選択又は設定が終了した後に確認コピーを開始させるための確認コピー部３５０が設けられている。
【００４６】
設定確認画面３００は、前述の操作キーボード２００の設定確認釦２５０を押すと前述の操作表示手段１００の基本画面に代わって表示され、設定情報表示部３１０の各種設定部に触れると選択又は設定できるようになっている。
【００４７】
詳細な選択や設定が必要なものは、選択又は設定を実行しようとする設定部に触れると、例えば、設定部に触れる毎に次々に選択項目や設定項目が設定部の左側に表示されるので、所望の項目が表示されたら終了部３４０に触れると選択又は設定を確定することができる。
【００４８】
なお、操作表示手段１００や設定確認画面３００に設けられた選択部や設定部及び選択項目や設定項目に関する詳細な説明は割愛するが、いずれも基本画面の選択部や設定部は頻繁に使用されると想定されるものを設けておくことが操作を迅速にかつ簡便にすることから好ましく、選択項目や設定項目にはできるだけ想定される条件等を細密に設けておき、同様に頻度が高いと想定される項目が優先して表示されるようにしておくことが、操作を迅速にかつ簡便にすると共に満足のいく仕上がり状態を得ることができるので望ましい。
【００４９】
図２乃至図６を参照して、本発明に係る確認画像出力モードを設定して確認コピー（印刷）を行う場合の出力色選択方法について説明する。
【００５０】
確認コピーの出力色の選択は、前述のように、選択編集機能や後処理機能が正しく実行されたか否かを含めて、原稿が正しく作成されたか否かを確認するために、試しに１部数のみコピーするための確認コピーを行う場合に行うものである。
【００５１】
なお、図２乃至図６の反転又は網掛け表示を示す図に関しては、反転又は網掛けを施すと表示内容が見えにくくなるので、反転又は網掛け表示が施された部分は、代わりに黒太線で囲いを施すことにした。
【００５２】
本発明の実施の形態においては、出力色選択方法には２つの選択方法があり、第１の選択方法では、操作キーボード２００の設定確認釦２５０を押すと、設定確認画面３００が操作表示手段１００に表示される。
【００５３】
設定確認画面３００の確認コピー出力を設定するカラー／モノクロ設定部３１０ａに触れて、確認コピーをモノクロ（白黒）で行いたい場合は、カラー／モノクロ設定部３１０ａが図５の（イ）図に示すように、モノクロの表示に代わったことを確認して終了部３４０に触れ、確認コピーをカラーで行いたい場合は、カラー／モノクロ設定部３１０ａが図５の（ロ）図に示すように、カラーの表示に代わったことを確認して終了部３４０に触れる。
【００５４】
そして、その他の設定部での設定が終了した後に確認コピー釦３５０に触れると確認コピーが開始されるようになっている。
【００５５】
第２の選択方法では、操作キーボード２００の確認コピー釦２２０を押すと、図６のようにポップアップ画面１９０が操作表示手段１００の基本画面上に表示され、確認コピーをカラーで行いたい場合は、カラー画像１９０ａに触れると、図６の（イ）図のように、カラー画像１９０ａの表示が反転又は網掛け表示となりカラー画像での確認コピーが選択されたことを示す。
【００５６】
同様に、確認コピーをモノクロで行いたい場合は、モノクロ画像１９０ｂに触れると、図６の（ロ）図のように、モノクロ画像１９０ｂの表示が反転又は網掛け表示となりモノクロ画像での確認コピーが選択されたことを示す。
【００５７】
そして、ポップアップ画面１９０で確認コピーの出力色を選択した場合は、カラー画像１９０ａ又はモノクロ画像１９０ｂのいずれかが選択されると自動的に確認コピーを開始する。
【００５８】
なお、第２の選択方法では、カラー画像１９０ａ又はモノクロ画像１９０ｂのいずれかが選択されると確認コピーを開始するようにしたが、これに限らず、使用者による出力色の選択が誤操作によらず所望の選択であったか否かの確認のために、確認コピーの出力色を選択した後に、再度、操作キーボード２００の確認コピー釦２２０を押して確認コピーを開始するようにしても良い。
【００５９】
操作表示手段１００の出力色設定部１３０で、単色カラー、白黒（モノクロ）、フルカラー等のいずれかのカラーモードが既に設定されていた場合について説明する。
【００６０】
第１の選択方法の場合は、既にモノクロが選択されていた場合には図５の（ハ）図に示すカラー／モノクロ設定部３１０ａに、例えば、反転又は網掛け処理が実行されて、カラー／モノクロ設定部３１０ａに触れても確認コピーの出力色のモノクロの選択ができないようになっている。
【００６１】
また、既にカラーが選択されていた場合は、確認コピーをモノクロで実行する可能性があるために、カラー／モノクロ設定部３１０ａのカラー表示及びモノクロ表示に反転又は網掛け処理を行わないで、カラー又はモノクロの選択ができるようにしている。
【００６２】
勿論、確認コピーの出力色の選択ができないようにするために、これに限らず、設定部自体を表示しないようにしたり、また、選択できないことを示す他の表示を採用しても良いことはいうまでもない。
【００６３】
第２の選択方法の場合は、既にモノクロが選択されていた場合には、操作キーボード２００の確認コピー釦２２０を押したときに、図６に示すポップアップ画面１９０を操作表示手段１００の基本画面上に表示せず、確認コピーを開始するようにしたので、確認コピーの出力色の選択ができないようになっている。
【００６４】
また、既にカラーが選択されていた場合は、操作キーボード２００の確認コピー釦２２０を押したときに、図６に示すポップアップ画面１９０を操作表示手段１００の基本画面上に表示して、カラー又はモノクロの選択ができるようにしている。
【００６５】
以上、本発明の実施の形態における２つの出力色選択方法について説明したが、他の出力色選択方法を採用しても良く、これに限るものではないことはいうまでもない。
【００６６】
図７により、本発明の実施の形態における画像形成装置での確認コピーに関する作動制御の手順に関して説明する。
【００６７】
なお、図２の操作表示手段１００における出力色設定部１３０により、予め出力色としてフルカラーが選択されているものとする。
【００６８】
（ＳＴ１）
原稿読取処理を行うステップである。
【００６９】
複数枚の原稿で１部数を構成する場合は、例えば、図１に示すＡＤＦに原稿をセットした後に、図３に示す操作キーボード２００の確認コピー釦２２０を押すと、自動的に複写機の読取手段で１枚づつ原稿を読み取り原稿データとして記憶手段に記憶し、全ての原稿の原稿データが記憶手段に記憶されるとＳＴ２に進む。
【００７０】
また、ＡＤＦを使用せず原稿を１枚づつ読み取る場合は、複写機のプラテンガラス上に原稿を１枚づつ設置して、図２に示す操作表示手段１００の応用設定部１７０に設けられた原稿読込設定部を原稿１枚ごとに操作し、全ての原稿の原稿データを記憶手段に記憶した後に、図３に示す操作キーボード２００の確認コピー釦２２０を押せば良い。
【００７１】
なお、単に、本コピーを行う場合は、図３に示す操作キーボード２００のコピースタート釦２１０を押すことにより本コピーを実行することができる。
【００７２】
（ＳＴ２）
確認コピーか否かを判断するステップである。
【００７３】
本発明に係る確認画像出力モード選択手段として、例えば、図３に示す確認コピー釦２２０が押されていたり、図４に示す確認コピー部３５０に触れられて、本発明に係る確認画像出力モードである確認コピーモードが選択されていた場合に、制御回路は確認コピーモードと判断し、確認コピーモードの場合はＳＴ３に進み、確認コピーモードでない場合、すなわち、本コピーの場合は、確認コピーの出力色を判断する必要がないのでＳＴ４に飛ぶ。
【００７４】
（ＳＴ３）
カラー出力か否かを判断するステップである。
【００７５】
確認コピーモードで、例えば、図５の（ロ）図又は図６の（イ）図に示すようにカラーの出力色が選択されていた場合はＳＴ４に進み、図５の（イ）図又は図６の（ロ）図に示すようにモノクロが選択されていた場合はＳＴ５に飛ぶ。
【００７６】
（ＳＴ４）
カラー画像形成処理を行うステップである。
【００７７】
制御回路は、記憶手段に記憶された原稿１枚に相当する原稿データを読み出し、原稿データに基づき、例えば、Ｙ（イエロー）、Ｍ（マゼンタ）、Ｃ（シアン）、Ｋ（クロ）に色分解する等の画像処理を行い、色分解された信号等により複写機の画像形成部において各色毎に感光体に露光して各色の静電潜像を形成すると共に各色のトナーで現像し定着して、カラー画像を１枚の被記録部材上に形成するとＳＴ６に進む。
【００７８】
（ＳＴ５）
モノクロ画像処理を行うステップである。
【００７９】
制御回路は、記憶手段に記憶された原稿１枚に相当する原稿データを読み出し、原稿データに基づき、例えば、Ｙ（イエロー）、Ｍ（マゼンタ）、Ｃ（シアン）、Ｋ（クロ）の色データにより濃度データを作成する画像処理をおこない、この濃度データに基づく信号等により、複写機の画像形成部において感光体に露光して静電潜像を形成すると共にＫ（クロ）トナーで現像し定着して、モノクロ画像を１枚の被記録部材上に形成するとＳＴ６に進む。
【００８０】
（ＳＴ６）
原稿有り？、つまり、印刷すべき原稿データが記憶手段に残っているか否かを判断するステップである。
【００８１】
原稿データが記憶手段に残っている場合は、再度、原稿データに基づく画像形成処理を行うためにＳＴ２に飛び、原稿データが記憶手段に残っていない場合は画像形成処理を終了してＳＴ７に進む。
【００８２】
（ＳＴ７）
確認コピーか否かを判断するステップである。
【００８３】
確認コピーモードでない場合は、残りの必要な部数の画像形成処理を行うためにＳＴ８に進む。確認コピーモードであれば、ＳＴ６で１部数の画像形成処理が終了しているので、確認コピー作動を終了する。
【００８４】
（ＳＴ８）
残り部数あり？、つまり、予め設定された部数のうち、まだ画像形成処理が実行されていない部数があるか否かを判断するステップである。
【００８５】
確認コピーは、原稿の仕上がり状態を確認するために１部数のみコピーするが、本コピー（以下、確認コピーではないコピーをいう。）を行う際は、例えば、図４に示す設定確認画面３００の設定情報表示部に設けられているコピー部数設定部により、使用者によって予めコピー部数が設定されているので、この設定された部数に対して画像形成処理が実行されていない部数が残っていた場合は、残り部数の画像形成処理を実行するためにＳＴ９に進み、本コピーの全ての部数の画像形成処理が完了した場合は、複写機の作動を終了するようになっている。
【００８６】
（ＳＴ９）
カラー画像形成処理を行うステップである。
【００８７】
ＳＴ４のステップと同様の画像形成処理を実行し、カラー画像を１枚の被記録部材上に形成するとＳＴ１０に進む。
【００８８】
（ＳＴ１０）
１部数終了？、つまり、原稿データに基づく画像形成処理が１部数完了したか否かを判断するステップである。
【００８９】
１部数分の画像形成処理が完了していない場合は、１部数分の画像形成処理を実行するためにＳＴ９に戻り、１部数分の画像形成処理が完了した場合はＳＴ７に飛ぶ。
【００９０】
なお、本発明の実施の形態においては、確認コピーモードを実行した場合は、確認コピーにより原稿の仕上がり状態を確認した後に、修正や訂正等がなければ引き続いて本コピーを実行する可能性が高いので、図３に示す操作キーボードの確認コピー釦２２０が押されたときには、自動的に記憶手段に記憶された原稿データをＪＯＢとして保管し、図２に示す操作表示手段１００のＪＯＢ表示部１８０にＪＯＢナンバーと共にＪＯＢ表示を行うようになっている。
【００９１】
そして、確認コピーに引き続いて本コピーを行う場合は、図３に示す操作キーボード２００のコピースタート釦２１０を押すことにより、本コピーが実行されるようになっている。
【００９２】
また、確認コピーの実行後、しばらく時間が経過した後に本コピーを行う際は、該当するＪＯＢナンバーのＪＯＢ表示に触れて保管されたＪＯＢを選択した後にコピースタート釦２１０を押すことにより、本コピーが実行されるようになっている。
【００９３】
因に、ＪＯＢとして保管された原稿データを削除する場合は、図３に示す操作キーボード２００のジョブメモリ釦２６０を押して該当するＪＯＢナンバーを選択した後にリセット釦２７０を押すことで削除できる。
【００９４】
勿論、原稿に対して修正や訂正等が発生した場合は、新たな原稿を用いて再度、図３に示す操作キーボードの確認コピー釦２２０を押して確認コピーモードを実行させる必要がある。
【００９５】
以上のように複写機の操作及び作動を制御することにより、出力色を選択して確認コピーが実行できるので、カラー画像を含む原稿であってもモノクロでの確認コピーができるようになり、画像の色に関する確認以外の確認を行う場合は、安価で迅速な原稿の仕上がり状態が確認できるようになった。
【００９６】
本発明に係る確認コピー開始処理の手順について詳細に説明する。
確認コピー開始処理には、設定確認画面で出力色を選択して確認コピーを開始させる方法と、ポップアップ画面で出力色を選択して確認コピーを開始させる方法との２通りの方法がある。
【００９７】
まず、設定確認画面での確認コピー開始処理の手順について図８を参照して詳細に説明する。
【００９８】
（ＳＴ２１）
設定確認釦が押された（ＯＮ）か否かを判断するステップである。
【００９９】
図３に示す操作キーボード２００の設定確認釦２５０が押されていればＳＴ２２に進み、押されていない場合は確認コピー開始処理を終了する。
【０１００】
（ＳＴ２２）
出力色を選択するステップである。
【０１０１】
設定確認釦２５０が押されると、図２に示す操作表示手段１００の基本画面が図４に示す設定確認画面３００の基本画面に切り換わり確認コピーの出力色の選択が可能になるので、使用者が、図４に示す設定確認画面３００の設定情報表示部３１０に設けられたカラー／モノクロ設定部３１０ａに触れて、モノクロを選択すると、設定確認画面３００のカラー／モノクロ設定部３１０ａは図５の（イ）図のように表示が変わり、カラーを選択すると図５の（ロ）図のように表示が変わってＳＴ２３に進む。
【０１０２】
なお、本発明の実施の形態においては、このように、カラー／モノクロ設定部３１０ａの表示が選択されたカラー又はモノクロ表示に変わることにより確認コピーの出力色が選択されたことを明確に視認できるようにしているので、誤操作等を防止できるようになっている。
【０１０３】
（ＳＴ２３）
モノクロ出力？、つまり、選択された確認コピー時の出力色を判断するステップである。
【０１０４】
モノクロが選択されている場合はＳＴ２４に進み、カラーが選択されている場合はＳＴ２５に飛ぶ。
【０１０５】
（ＳＴ２４）
出力色をモノクロに設定するステップである。
【０１０６】
画像形成装置の制御回路が、確認コピー時の出力色をモノクロに設定して、モノクロによる画像形成処理ができるようにする。
【０１０７】
（ＳＴ２５）
出力色をカラーに設定するステップである。
【０１０８】
画像形成装置の制御回路が、確認コピー時の出力色をカラーに設定して、カラーによる画像形成処理ができるようにする。
【０１０９】
（ＳＴ２６）
確認コピー釦が押された（ＯＮ）か否かを判断するステップである。
【０１１０】
操作キーボード２００の確認コピー釦２２０又は図４に示す設定確認画面３００の確認コピー部３５０が押されたか否かを判断し、押されていればＳＴ２７に進み、押されていない場合はＳＴ２２戻る。
【０１１１】
（ＳＴ２７）
確認コピー作動を実行するステップである。
【０１１２】
画像形成装置は、予め設定された編集機能や後処理機能の実行を含めて、選択された出力色で１部数のみ原稿を印刷して確認コピー動作を行うようになっている。
【０１１３】
なお、使用者の操作としては、ＳＴ２２で出力色を選択した後に、確認コピー釦２２０又は確認コピー部３５０を押せば、画像形成装置が自動的にＳＴ２３からＳＴ２７の確認コピー作動を実行するようになっている。
【０１１４】
また、確認コピー釦２２０又は確認コピー部３５０を押す代わりに、図３に示す操作キーボード２００のコピースタート釦２１０を押しても、画像形成装置が自動的にＳＴ２３からＳＴ２７の確認コピー作動を実行するようになっている。
【０１１５】
次に、ポップアップ画面での確認コピー開始処理の手順について図９を参照して詳細に説明する。
【０１１６】
ポップアップ画面での確認コピー開始処理の手順は、基本的には図８に示す設定確認画面での確認コピー開始処理の手順とほぼ同様なので、異なる部分についてのみ詳細に説明する。
【０１１７】
なお、図９のＳＴ３１ステップは図８のＳＴ２１ステップと同様であり、以下、ＳＴ３３〜ＳＴ３５はＳＴ２３〜ＳＴ２５と同様である。
【０１１８】
（ＳＴ３２）
出力色を選択するステップである。
【０１１９】
設定確認釦２５０が押されると、図６に示すように操作表示手段１００の基本画面上にポップアップ画面１９０が表示され確認コピーの出力色の選択が可能になるので、使用者が、確認コピーをカラーで行いたい場合は、カラー画像１９０ａに触れると、図６の（イ）図のように、カラー画像１９０ａの表示が反転又は網掛け表示となりカラー画像での確認コピーが選択されたことを示す。
【０１２０】
同様に、確認コピーをモノクロで行いたい場合は、モノクロ画像１９０ｂに触れると、図６の（ロ）図のように、モノクロ画像１９０ｂの表示が反転又は網掛け表示となりモノクロ画像での確認コピーが選択されたことを示し、ＳＴ３３に進む。
【０１２１】
また、ポップアップ画面１９０で確認コピーの出力色を選択した場合は、カラー画像１９０ａ又はモノクロ画像１９０ｂのいずれかが選択されると自動的に確認コピーを開始するようになっているので、図９においては図８のＳＴ２６に相当するステップが削除されている。
【０１２２】
勿論、これに限らず、図８のＳＴ２６に相当するステップを図９に設けて、使用者による出力色の選択が誤操作によらず所望の選択であったか否かの確認のために、確認コピーの出力色を選択した後に、再度、操作キーボード２００の確認コピー釦２２０を押して確認コピーを開始するようにしても良い。
【０１２３】
操作表示手段１００の出力色設定部１３０で、単色カラー、白黒（モノクロ）、フルカラー等のいずれかのカラーモードが既に設定されていた場合の設定確認画面表示とポップアップ画面表示の表示手順に関して説明する。
【０１２４】
図１０は、設定確認画面３００を用いて確認コピー時の出力色を選択するようにした方式での表示手順を示す。
【０１２５】
（ＳＴ４１）
モノクロ出力？、つまり、予め操作表示手段１００の出力色設定部１３０で設定された出力色を判断するステップである。
【０１２６】
図３に示す操作キーボード２００の設定確認釦２５０が押されると、既に操作表示手段１００の出力色設定部１３０でモノクロが設定されている場合はＳＴ４２に進み、カラーが設定されていた場合はＳＴ４３に飛ぶ。
【０１２７】
（ＳＴ４２）
出力色設定部を網掛け処理するステップである。
【０１２８】
図５の（ハ）図に示すように設定確認画面３００のカラー／モノクロ設定部３１０ａのカラー／モノクロ表示に網掛け処理を実行して、出力色が選択できないようにしてＳＴ４３に進む。
【０１２９】
（ＳＴ４３）
設定確認画面表示を行うステップである。
【０１３０】
既にモノクロが選択されていたとき、カラー／モノクロ設定部３１０ａのカラー／モノクロ表示に網掛け処理がされた設定確認画面３００が表示され、カラーが選択されていたときは、網掛け処理のない設定確認画面３００が表示される。
【０１３１】
従って、これ以降は、モノクロの場合は出力色が選択できず、確認コピー部３５０を押せば確認コピーが開始され、カラーの場合はカラー又はモノクロの出力色を選択した後に、確認コピー部３５０を押せば確認コピーが開始されることになる。
【０１３２】
図１１は、ポップアップ画面１９０を用いて確認コピー時の出力色を選択するようにした方式での表示手順を示す。
【０１３３】
（ＳＴ５１）
カラー出力？、つまり、予め操作表示手段１００の出力色設定部１３０で設定された出力色を判断するステップである。
【０１３４】
操作キーボード２００の確認コピー釦２２０が押されると、既に操作表示手段１００の出力色設定部１３０でカラーが設定されている場合はＳＴ５２に進み、モノクロが設定されていた場合は終了する。
【０１３５】
つまり、本発明の実施の形態においては、モノクロが設定されていた場合は、操作表示手段１００の基本画面上にポップアップ画面１９０が表示されないで確認コピー作動が実行される。
【０１３６】
（ＳＴ５２）
ポップアップ画面を表示するステップである。
【０１３７】
既にカラーが設定されていたときは、操作表示手段１００の基本画面上にポップアップ画面１９０が表示される。
【０１３８】
従って、本発明の実施の形態においては、これ以降は、図６に示すカラー画像１９０ａ又はモノクロ画像１９０ｂに触れて出力色を選択すると、確認コピーが実行される。
【０１３９】
図１２により、本発明の実施の形態における画像形成装置の回路構成を簡単に説明する。
【０１４０】
４８０は画像形成装置全体の回路を示し、４１０は画像形成装置全体の制御を行うＣＰＵで、画像形成装置を制御するための各種プログラム等が予め記憶されている。
【０１４１】
ＣＰＵ４１０には、情報制御回路４２０、画像処理回路４４０、駆動制御回路４５０等が接続され主な制御回路としての構成を有し、ＣＰＵ４１０には更に電源回路４８０が接続されている。
【０１４２】
情報制御回路４２０は、ＣＰＵ４１０の指示により、インタフェース（Ｉ／Ｆ）４３０を介して外部情報機器５００から原稿の文字や画像等の画像情報や画像形成等に必要な各種情報を入力し、入力した各種情報を記憶手段４９０に記憶させると共に、必要に応じて画像処理回路４４０や駆動制御回路４５０、あるいは表示手段４７０等に記憶手段４９０に記憶された各種情報を出力するようになっている。
【０１４３】
外部情報機器５００としては、コンピュータやインターネット・サーバー、あるいは、デジタル・カメラや計測した情報を出力可能な計測装置等の本発明の実施の形態における画像形成装置に接続可能な情報機器が想定される。
【０１４４】
また、情報制御回路４２０は、外部情報機器５００から入力した各種情報の他に、画像処理回路４４０や駆動制御回路４５０等を含む各手段の作動に必要な各種情報の入出力や操作入力手段４６０で入力された情報等が画像形成装置の作動に支障がないように適宜円滑に各回路や各手段に伝達されるように作動する。
【０１４５】
操作入力手段４６０は、本発明の実施の形態においては、図３に示す操作キーボード２００と、図２に示す操作表示手段１００等が表示手段４７０と操作入力手段４６０とを兼ねて設けられており、本発明に係る確認コピーモードの設定や確認コピー時の出力色の選択が行えるようになっている。
【０１４６】
また、操作入力手段４６０では、前述の操作キーボード２００や操作表示手段１００等により、画像が形成された被記録部材の出力枚数や種類（例えば、普通紙、再生紙、厚紙、ＯＨＰシート等）、あるいは拡大縮小等の倍率や出力画像の濃度設定情報等の情報、および編集機能や後処理機能等が選択できたり必要なデータを入力できるようになっている。
【０１４７】
表示手段４７０は、本発明の実施の形態においては、図２に示す操作表示手段１００がこれに相当し、例えば、液晶のタッチパネル方式で構成され、操作入力手段４６０で情報を入力する際の操作手順や各種情報の一覧表示および設定情報確認表示、あるいは記憶手段４９０に記憶された情報の表示、画像形成装置の作動中の状態表示や警告表示等が表示されると共に、確認コピーモードにおいては、図５に示す設定確認画面のカラー／モノクロ表示３１０ａ、あるいは、図６に示す操作表示手段１００のポップアップ画面表示１９０のカラー画像１９０ａ、モノクロ画像１９０ｂ等の所定の表示部に触れることにより条件等の選択や入力ができるようになっており、前述の操作入力手段４６０の機能も兼ねている。
【０１４８】
画像画像処理回路４４０は、ＣＰＵ４１０の指示により、記憶手段４９０に記憶されている画像情報等を画像形成装置に適したデータや信号等に変換し、駆動制御回路４５０等と協働して画像形成手段４９１により本発明に係る確認コピーや本コピー等の画像形成ができるようにするための回路である。
【０１４９】
駆動制御回路４５０は、ＣＰＵ４１０の指示により、画像形成手段４９１、給排紙手段４９２および定着手段４９３等を作動させ画像形成作動を行うための回路である。
【０１５０】
画像形成手段４９１は、駆動制御回路４５０により作動され、画像画像処理回路４４０から出力される画像情報に基づく信号により画像形成を行うもので、図示はしないが、例えば、感光体が感光体ドラムとして構成されている場合は、感光体ドラムを帯電し、感光体ドラムに対して露光し、感光体ドラム上に形成された潜像をトナーで現像し、感光体ドラム上に顕像化されたトナー像を被記録部材に転写し分離した後に感光体ドラムを清掃する作動を行う手段である。
【０１５１】
なお、画像形成装置が、複写機の場合は、画像形成手段４９１に原稿を読み取る読取手段が含まれるものとする。
【０１５２】
給排紙手段４９２は、感光体ドラム上に顕像化されたトナー像を被記録部材に転写できるように、例えば、図１に示す被記録部材収納部７から適切なタイミングで被記録部材を感光体ドラムに対して供給搬送し、転写・分離作動が終了した被記録部材を定着手段４９３を介して図１に示す排紙皿５に排紙搬送する作動を行う手段である。
【０１５３】
定着手段４９３は、被記録部材上のトナー像を定着ローラの熱で被記録部材に溶融固着する装置である。
【０１５４】
編集・後処理手段４９４は、ＣＰＵ４１０の指示により駆動制御回路４５０を介して、操作入力手段４６０で予め設定された、例えば、シフト機能、スタンプ機能、オーバーレイ機能等の前述の編集機能や、例えば、フィニッシング処理、ステープル処理、パンチ処理等の前述の後処理機能を実行する手段である。
【０１５５】
電源回路４８０は、電源スイッチ（図示せず。）が投入されると、電源から適切な通電が画像形成装置全体に行われ、電源スイッチが遮断されると、通電が遮断されるようになっている。また、例えば、ＣＰＵ４１０の指示により、画像形成作動が終了したときには、画像形成装置を待機状態における省電状態にするため、あるいは、一時的なメモリの記憶内容等の保存のために必要な一部の通電を除いて他の通電を遮断する等の作動が行えるようになっている。
【０１５６】
以上に説明したように、本発明の実施の形態においては、画像形成装置において確認コピーモードを選択した場合には、確認コピーの際に出力する印刷物の出力色を選択できるようにしたので、原稿がカラー画像を含むものであっても、モノクロで印刷することができる。
【０１５７】
そのため、原稿の仕上がり状態を確認する際に、画像の色に関する確認作業以外の確認を行う場合には、画像形成装置における画像形成工程もモノクロ印刷を行えばよいので画像形成処理が短時間で行え、しかも、高価なカラートナーやカラーインク等の機材を使用しなくても済むので、迅速で安価な原稿の仕上がり状態の確認が行える画像形成装置を提供できることになった。
【０１５８】
また、確認コピーモードの設定や確認コピー時の出力色の選択が、操作キーボード手段や操作表示手段で簡便に行えるので、誰もが簡単に容易に確認コピーを行えるようになったので、確認コピー操作ができないために本コピーで行っていた確認作業を廃止でき、機材や時間の浪費を防止できる画像形成装置を提供できることになった。
【０１５９】
更に、確認コピーモードの設定や確認コピー時の出力色の選択が、設定確認画面やポップアップ画面の表示に従って操作できるので、誤操作を防止でき迅速な仕上がり状態の確認ができる画像形成装置を提供できるようになった。
【０１６０】
なお、画像形成装置として電子写真方式のカラー複写機により本発明の実施の形態を説明してきたが、他の方式のカラープリンタ等でも良いことはいうまでもない。
【０１６１】
【発明の効果】
画像形成装置で確認コピーを行う際に、簡単な操作で確認コピー時の出力色を選択できるようにしたので、迅速で安価な原稿の仕上がり状態の確認が行える画像形成装置を提供できることになった。
【図面の簡単な説明】
【図１】本発明に係る画像形成装置としての複写機の外観図である。
【図２】本発明に係る操作表示手段の基本画面である。
【図３】本発明に係る操作キーボード図である。
【図４】本発明に係る設定確認画面の基本画面である。
【図５】設定確認画面の表示状態を示す表示形態図である。
【図６】操作表示手段のポップアップ画面表示である。
【図７】本発明に係る画像形成装置の作動を説明するフローチャートである。
【図８】本発明に係る設定確認画面で確認コピーの出力色を選択する場合の作動手順を示すフローチャートである。
【図９】本発明に係るポップアップ画面で確認コピーの出力色を選択する場合の作動手順を示すフローチャートである。
【図１０】本発明に係る設定確認画面表示の手順を示すフローチャートである。
【図１１】本発明に係るポップアップ面表示の手順を示すフローチャートである。
【図１２】本発明に係る画像形成装置の回路構成を示すブロック図である。
【符号の説明】
１  複写機本体
２  操作部
３  操作表示手段
４  操作キーボード手段
５  排紙皿
６  手差し皿
７  被記録部材収納部
８  自動原稿送り装置
９ａ、９ｂ  ローラ
１０  複写機
１００  操作表示手段の基本画面
２００  操作キーボード
３００  設定確認画面の基本画面
【図１】
2004226697.tif 000003
【図２】
2004226697.tif 000004
【図３】
2004226697.tif 000005
【図４】
2004226697.tif 000006
【図５】
2004226697.tif 000007
【図６】
2004226697.tif 000008
【図７】
2004226697.tif 000009
【図８】
2004226697.tif 000010
【図９】
2004226697.tif 000011
【図１０】
2004226697.tif 000012
【図１１】
2004226697.tif 000013
【図１２】
2004226697.tif 000014